(57)【要約】  より簡単且つ確実に、乳汁の逆流を抑制し、乳房炎への感染リスクを低減できるティートカップを提供する。  本発明のティートカップ１は、可撓性を有する筒状のライナー３と、前記ライナー３の上部の外周を覆う筒状のシェル２と、を備えるティートカップであって、前記ライナー３は、前記外周がシェル２で覆われ、前記シェル２との間の空間の圧力変動により開状態と閉状態との間で弾性変形するボア部３ｂと、前記ボア部３ｂの一端側に設けられ、乳頭が挿入されるマウスピース部３ａと、前記ボア部３ｂの他端側に設けられたショートミルクチューブ部３ｄと、を備え、前記ボア部３ｂの内径Ｒ１と前記ショートミルクチューブ部３ｄの内径Ｒ２との比であるＲ１／Ｒ２が、１から１．９である。
2020050244.tif 000002
【特許請求の範囲】
【請求項１】
可撓性を有する筒状のライナーと、
前記ライナーの上部の外周を覆う筒状のシェルと、を備えるティートカップであって、
前記ライナーは、
前記外周がシェルで覆われ、前記シェルとの間の空間の圧力変動により開状態と閉状態との間で弾性変形するボア部と、
前記ボア部の一端側に設けられ、乳頭が挿入されるマウスピース部と、
前記ボア部の他端側に設けられたショートミルクチューブ部と、を備え、
前記ボア部の内径Ｒ１と前記ショートミルクチューブ部の内径Ｒ２との比であるＲ１／Ｒ２が、１から１．９であるティートカップ。
【請求項２】
前記ショートミルクチューブ部の内径Ｒ２は、前記ショートミルクチューブ部における最小の内径である、
請求項１に記載のティートカップ。
【請求項３】
前記ショートミルクチューブ部の内径Ｒ２は、前記ショートミルクチューブ部の先端の内径である、
請求項１又は２に記載のティートカップ。
【発明の詳細な説明】
【技術分野】
【０００１】
本発明は、搾乳機のティートカップに関する。
【背景技術】
【０００２】
搾乳時に、牛の乳頭に装着されるティートカップは、内部を乳汁が通過する筒状のライナーと、ライナーの上部の外周を覆い、ライナーとの間に空間を形成するシェルとを備える。そして、ライナー上部の内部に乳頭を挿入させた状態で、シェルとライナーとの間の空間の圧力を変動させる。これにより、ライナー上部を開状態と閉状態との間で弾性変形させることで乳頭をマッサージしつつ、搾乳が行われる。【０００３】
ここで、搾乳が行われる乳牛が乳房炎に罹患する場合がある。乳房炎に罹患すると、生産乳量及び乳質が低下し、乳房炎治療費がかかり、出荷制限期間の生乳廃棄が必要となり、さらに罹患牛の淘汰や代替牛の購入費がかかる場合がある。このような乳房炎の罹患率は、乳頭口が開いた状態にある乾乳初期の１週間と分娩前後の各１週間が高いと言われている。それは、搾乳前の清拭時に拭き取れなかった細菌が乳頭表面に存在し、搾乳時に乳汁中にそれらの細菌が混入し、ライナー内で乳汁の逆流（ｄｒｏｐｌｅｔ現象）が生じた場合に、それらの細菌を含む乳汁が乳頭口から侵入するためである。【０００４】
乳房炎を防止するためには、乳汁の逆流を防止することが重要である。乳汁の逆流を防止する技術として、例えば、ライナーの乳頭下端部にクリップを取り付けて、ライナーの開き方を緩やかにしたティートカップ（特許文献１参照）、ライナーの上部に設けられたマウスピース部やシェル内に配置されるボア部の厚みや形状を調整することでライナーの潰れ方を調整したティートカップ（特許文献２参照）、マウスピース部にベントを開けたティートカップ（特許文献３参照）、ライナーの下部のショートミルクチューブ部にベントを開けたティートカップ（特許文献４、５参照）、ショートミルクチューブ部が接続される部分の容積を大きくしてライナー内で乳汁を滞留させないようにしたミルククロー（特許文献６参照）、ミルククローからの乳汁を排出する管の内径を太くした搾乳システム（特許文献７参照）が開示されている。
【先行技術文献】
【特許文献】
【０００５】
【特許文献１】特許第４３５９７０８号公報
【特許文献２】米国特許第６７７６１２０号明細書
【特許文献３】米国特許第８６２７７８５号明細書
【特許文献４】特表２０１６−０７３８６１号公報
【特許文献５】米国特許第３４７６０８５号明細書
【特許文献６】米国特許出願公開第２０１４−０２０９３０号明細書
【特許文献７】米国特許第５８９６８２７号明細書
【発明の概要】
【発明が解決しようとする課題】
【０００６】
しかし、特許文献１のティートカップは構造が複雑で製造が容易ではなく、特許文献２のティートカップは逆流防止効果が十分でなく、特許文献３，４，５のティートカップはベントが汚れによって塞がれる可能性があり、特許文献６，７はミルククローが大きくなるため持ち運びが不便になる。
本発明の課題は、より簡単且つ確実に、乳汁の逆流を抑制し、乳房炎への感染リスクを低減できるティートカップを提供することである。
【課題を解決するための手段】
【０００７】
上記課題を解決するための、本発明は、可撓性を有する筒状のライナーと、前記ライナーの上部の外周を覆う筒状のシェルと、を備えるティートカップであって、前記ライナーは、前記外周がシェルで覆われ、前記シェルとの間の空間の圧力変動により開状態と閉状態との間で弾性変形するボア部と、前記ボア部の一端側に設けられ、乳頭が挿入されるマウスピース部と、前記ボア部の他端側に設けられたショートミルクチューブ部と、を備え、前記ボア部の内径Ｒ１と前記ショートミルクチューブ部の内径Ｒ２との比であるＲ１／Ｒ２が、１から１．９であるティートカップを提供する。【０００８】
前記ショートミルクチューブ部の内径Ｒ２は、前記ショートミルクチューブ部における最小の内径であってもよい。【０００９】
前記ショートミルクチューブ部の内径Ｒ２は、前記ショートミルクチューブ部の先端の内径であってもよい。
【発明の効果】
【００１０】
本発明によれば、より簡単且つ確実に、乳汁の逆流を抑制し、乳房炎への感染リスクを低減できるティートカップを提供することができる。
【図面の簡単な説明】
【００１１】
【図１】実施形態に係るティートカップ１を含む図である。
【図２】ティートカップ１及びミルククロー３０を含む搾乳システム１０を説明する図である。
【図３】実施形態の乳汁逆流防止効果を検証するための実験装置１００を示す図である。
【図４】Ｎ−IIIの場合における、乳汁ｍの逆流防止効果の実験結果を示したグラフである。
【図５】Ｊ２２５の場合における、乳汁ｍの逆流防止効果の実験結果を示したグラフである。
【図６】Ｎ−IIIの場合における、乳汁ｍの逆流防止効果の実験結果を示したグラフである。
【図７】Ｊ２２５の場合における、乳汁ｍの逆流防止効果の実験結果を示したグラフである。
【図８】ボア部３ｂからショートミルクチューブ部３ｄへ流れる乳汁ｍの流れる状態を模式化したものであり、（ａ）はＲ１／Ｒ２が２．０以上、（ｂ）はＲ１／Ｒ２が１．９以下の場合である。
【発明を実施するための形態】
【００１２】
以下、本発明の実施形態について説明する。図１は、実施形態に係る２つのティートカップ１を示す縦断面図である。図１には、一部切欠いた断面図で示すミルククロー３０と、ティートカップ１に挿入された牛の乳頭５０も示す。また、図２はティートカップ１及びミルククロー３０を含む搾乳システム１０を説明する図である。
【００１３】
（ティートカップ１）
ティートカップ１は、筒状のライナー３と、ライナー３の上部の外周を覆うシェル２と、を備える。
【００１４】
（シェル２）
シェル２は硬質部材（ステンレスや硬質樹脂）により製造された筒状部材である。シェル２の側面には、後述するミルククロー３０の調圧室３２に配管４を介して接続される連結口２ａが設けられている。
【００１５】
（ライナー３）
ライナー３は可撓性を有する材料により一体成形された筒状部材である。ライナー３は、上側から、マウスピース部３ａと、ボア部３ｂと、ショートミルクチューブ部３ｄとを備える。
【００１６】
（マウスピース部３ａ）
マウスピース部３ａは、ライナー３の上端に設けられ、シェル２の上端部を塞ぐとともに、牛の乳頭５０の挿入口となる。
【００１７】
（ボア部３ｂ）
ボア部３ｂは、マウスピース部３ａから挿入された乳頭５０が入り込む部分で、マウスピース部３ａから連続して下方に延び、外周がシェル２に覆われている。ボア部３ｂの外面とシェル２の内面との間には空間Ｓが形成される。ボア部３ｂは、空間Ｓ内の圧力変動により、開状態と閉状態との間で弾性変形可能である。なお、ここで、ボア部３ｂの内径の平均径をＲ１とする。
【００１８】
（ショートミルクチューブ部３ｄ）
ショートミルクチューブ部３ｄは、乳頭５０から吸引された乳汁ｍが流通する部分である。ショートミルクチューブ部３ｄにおける上端のボア部３ｂから連続する部分には、シェル部２の下端部を保持する肉厚部３ｃが設けられている。ショートミルクチューブ部３ｄは肉厚部３ｃよりさらに下方に延び、先端部３ｅは後述のミルククロー３０に接続されるインレット部となっている。
先端部３ｅの内径Ｒ２は、ショートミルクチューブ部３ｄの中で最小である。ただし、ショートミルクチューブ部３ｄにおける肉厚部３ｃより下部の部分の内径は、全体が先端部３ｅの内径Ｒ２と等しい一定径であってもよい。
本実施形態において、上述のボア部３ｂの平均径Ｒ１とショートミルクチューブ部３ｄの先端部３ｅの内径Ｒ２（つまり、ショートミルクチューブ部３ｄにおいて最も内径の小さい部分における内径）との関係Ｒ１／Ｒ２は１〜１．９である。
【００１９】
ここで、Ｒ１／Ｒ２の下限値が１である理由は以下である。
Ｒ１／Ｒ２が小さくなるということは、Ｒ２がＲ１に対して大きくなるということで、すなわち、ショートミルクチューブ部３ｄの先端部３ｅが太くなることを意味する。Ｒ１／Ｒ２が１より小さいと、ボア部３ｂよりもショートミルクチューブ部の先端部３ｅ、すなわちミルククロー３０へのインレット部が太い状態となる。そうするとミルククロー３０のサイズが大きくなるので重くなり、４本のティートカップ１及びミルククロー３０の持ち運びが容易ではなくなる。このため、Ｒ１／Ｒ２の下限値を１以上とした。
Ｒ１／Ｒ２の上限値が１．９の理由については後述する。
【００２０】
（ミルククロー３０）
ミルククロー３０は、乳汁室３１と、調圧室３２とを備える。
乳汁室３１にはショートミルクチューブ部３ｄの先端部３ｅが挿入されるインレット挿入口３３が設けられ、複数のライナー３から流れてきた乳汁ｍが合流する。ミルククロー３０の乳汁室３１で合流した乳汁ｍは、排出口３４に取り付けられたミルクライン１２を通って図２に示す乳受け容器１３へと流れる。
調圧室３２には、上述の連結口２ａから延びる配管４が接続されるとともに、後述のパルセータ１１へ延びるパルセータライン１５が接続されている。パルセータ１１が作動すると、パルセータライン１５及び配管４を通して、ボア部３ｂの外面とシェル２の内面との間に空間Ｓに搾乳用の脈動圧が供給される。
【００２１】
図２に示す搾乳システム１０は、上述のティートカップ１と、ミルククロー３０と、パルセータライン１５と、ミルクライン１２との他に、乳受け容器１３と、バルククーラ１４と、トラップ１６と、真空タンク１７と、真空ポンプ１８と、パルセータ１１と、その他、真空調圧器１９及び真空計２０等とを備える。
【００２２】
（パルセータ１１）
パルセータ１１は、パルセータライン１５を介してミルククロー３０の調圧室３２に接続されている。パルセータ１１は、調圧室３２と配管４を介して接続されたボア部３ｂの外面とシェル２の内面との間の空間Ｓへの空気の導入及び排気を一定の時間間隔で制御する。この空間Ｓの圧力調整により、ボア部３ｂの開閉が行われる。
すなわち、空間Ｓの内部の空気が排気されると、空間Ｓの圧力はボア部３ｂの内部と同じ圧力となり、ボア部３ｂは開状態となる。一方、空間Ｓの内部に空気が流入されると、空間Ｓの圧力が高まり、ボア部３ｂがへこんだ閉状態となる。このボア部３ｂが開状態と閉状態とを繰り返す伸縮運動によって、乳頭へのマッサージ効果が得られる。これにより、牛が乳頭を吸って母牛の乳汁ｍを飲むときに行われるマッサージと同様の効果が得られ、射乳が促進される。
【００２３】
（乳受け容器１３）
乳受け容器１３は、ミルククロー３０からミルクライン１２を介して運ばれた乳汁ｍが一旦、貯留される容器である。
【００２４】
（バルククーラ１４）
バルククーラ１４は、乳受け容器１３に溜められた乳汁ｍが、乳受け容器１３の底部から配管２１を通って送られて貯蔵される部分である。
【００２５】
（真空ポンプ１８）
真空ポンプ１８は、真空パイプ２２を介して真空タンク１７に接続される。真空タンク１７は、真空調圧器１９が取り付けられた真空パイプ２３を介してトラップ１６に接続される。トラップ１６は真空パイプ２４を介して乳受け容器１３に接続されると共にパルセータ１１を介してミルククロー３０に接続される。
【００２６】
（動作）
次に、搾乳システム１０の動作について説明する。
まず、ショートミルクチューブ部３ｄの先端部３ｅをミルククロー３０のインレット挿入口３３に挿し込み、ミルククロー３０の排出口３４にミルクライン１２取り付ける。そして、シェル２の側部の連結口２ａとミルククロー３０の調圧室３２との間を配管４で接続するとともに、ミルククロー３０の調圧室３２とパルセータ１１との間をパルセータライン１５で接続する。さらに、マウスピース部３ａより乳頭５０をボア部３ｂ内に挿入する。
【００２７】
この状態で、真空ポンプ１８より搾乳用真空圧をライナー３内に連続的に供給すると共に、パルセータ１１からの脈動真空圧を空間Ｓに供給する。
脈動真空圧によってボア部３ｂが伸縮し、泌乳が促されて、乳頭５０からボア部３ｂの内部空間内に乳汁ｍが吐出される。吐出された乳汁ｍは、ミルククロー３０を介してミルクライン１２に送られる。
【００２８】
実施形態では、搾乳時において、ボア部３ｂの平均径Ｒ１とショートミルクチューブ部３ｄの下端の内径Ｒ２との関係Ｒ１／Ｒ２を１〜１．９としている。このようにＲ１／Ｒ２が１〜１．９の範囲にある場合、搾乳時におけるライナー３内における乳汁ｍの逆流の発生に対して、高い防止効果が得られる。以下、この乳汁ｍの逆流防止効果について説明する。
【００２９】
（実験装置）
図３はＲ１／Ｒ２が１〜１．９の場合の乳汁ｍの逆流防止効果を検証するための実験装置１００を示す図である。
実験装置１００は、複数のティートカップ１と、それぞれのティートカップ１のショートミルクチューブ部３ｄが接続されるミルククロー３０と、それぞれのティートカップ１のボア部３ｂ内に挿入される擬似乳頭５０Ａと、擬似乳頭５０Ａへ水を供給する水タンク１０２と、水の流量を制御する流量計１０１と、を備える。なお、乳牛は一般に乳頭が４つあるため、擬似乳頭５０Ａとティートカップ１と、流量計１０１とはそれぞれ４つ設けられている。
【００３０】
（擬似乳頭５０Ａ）
擬似乳頭５０Ａは、先端に内径０．６ｍｍ、長さ４．０ｃｍのアメゴム管５０Ｂを取り付けた円筒部材で、擬似乳頭５０Ａ（アメゴム管５０Ｂ）には水タンク１０２から、流量計１０１を介して一定の流量の水が流入される。柔軟なアメゴム管５０Ｂを用いることにより、ボア部３ｂの収縮時に、アメゴム管５０Ｂが容易に潰れることができ、水流の停止と流出とを交互に行う間欠的な射乳が可能となる。
【００３１】
（ライナー３）
ライナー３は、内部での乳汁ｍ（水）の逆流の発生状態を観察可能なように、透明なシリコーン製のＮ−III及びＪ２２５Ｓ（ＯＲＩＯＮ社製）により形成した。
【００３２】
（１）ボア部３ｂの内径一定、ショートミルクチューブ部３ｄの内径を変更した実験
（Ｎ−IIIの場合）
ボア部３ｂの内径の平均径Ｒ１は１９ｍｍで一定とした。
ショートミルクチューブ部３ｄの内径は１１ｍｍであるが、そこに外径１１ｍｍ、内径が７．０ｍｍ，８．０ｍｍ，９．０ｍｍ，１０．０ｍｍ、長さ２ｃｍの補助チューブをそれぞれ挿入することにより、先端部３ｅの内径Ｒ２を、７．０ｍｍ，８．０ｍｍ，９．０ｍｍ，１０．０ｍｍ，１１．０ｍｍ（補助チューブなし）とした５種類のライナーを用意した。
したがって、５種類のライナー３のＲ１／Ｒ２は、それぞれ２．７，２．４，２．１，１．９，１．７となる。
以下の表１にこれらの関係を示す。
【００３３】
【表１】
2020050244.tif 000003
2020050244.tif 000004
【００３４】
（Ｊ２２５Ｓの場合）
ボア部３ｂの内径の平均径Ｒ１は１９ｍｍで一定とした。
ショートミルクチューブ部３ｄの内径は１０．５ｍｍであるが、そこに外径１０．５ｍｍで内径が７．０ｍｍ，８．０ｍｍ，９．０ｍｍ，１０．０ｍｍ、長さ２ｃｍの補助チューブを挿入することにより、先端部３ｅの内径Ｒ２を、７．０ｍｍ，８．０ｍｍ，９．０ｍｍ，１０．０ｍｍ，１０．５ｍｍ（補助チューブなし）とした５種類のライナーを用意した。
したがって、５種類のライナー３のＲ１／Ｒ２は、それぞれ２．７，２．４，２．１，１．９，１．８となる。
以下の表２にこれらの関係を示す。
【００３５】
【表２】
2020050244.tif 000005
【００３６】
（ミルククロー）
ミルククロー３０は、内容積４１５ｍＬ、ライナー３の先端部３ｅが接続されるインレット挿入口３３の内径が１０．５ｍｍ、ミルクライン１２が接続される排出口３４の内径が１４．５ｍｍである。排出口３４には、内径１５ｍｍのミルクライン１２を接続した。また、ミルククロー３０には直径１．０ｍｍの一つのベント３６（貫通穴）が設けられている。
【００３７】
水タンク１０２の下端と流量計１０１の上端との間の距離は１５ｃｍ、流量計１０１の下端とティートカップ１の上端との距離は２７ｃｍ、ティートカップ１の全体の長さは３８ｃｍとした。
【００３８】
真空ポンプ１８及び真空調圧器１９によりライナー３及びミルククロー３０内の圧力を４４ｋＰａに設定した。
【００３９】
（パルセータ１１）
パルセータ１１はオリオン社製のものを用い、０．６ｓの真空状態と０．４ｓの非真空状態とを発生させることで、ボア部３ｂに対して０．６ｓの非収縮状態（水流流動状態）と、０．４ｓの収縮状態（水流停止状態）とが交互に発生する、１秒に６０サイクルの収縮を発生させた。この値は、実際の搾乳時の標準的な値である。
【００４０】
（カメラ１０３）
上記の構成においてティートカップ１のライナー３内を流れる水の挙動をカメラ１０３で撮影した。カメラ１０３は、高速ビデオカメラＣＡＳＨＩＯ製ＥＸ−１００Ｆを用いて４８０ＦＰＳで３０秒間撮影した。
【００４１】
上記の実験装置１００を用いて、水タンク１０２から４つの擬似乳頭５０Ａに水を流入した。このときの流量は、流量計１０１を調整することで、実際の搾乳での乳量を想定した、１．０，１．５，２．０，２．５，３．０，３．５，４．０Ｌ／ｍｉｎとした。
【００４２】
最大流量を４．０Ｌ／ｍｉｎとしたのは、パルセータ１１により、水流ありの時間：水流なしの時間＝６：４に制御されていることから、最大流量４．０Ｌ／ｍｉｎの場合に、実際の４本合計の流量が約１０Ｌ／ｍｉｎ（４Ｌ／ｍｉｎ×０．６×４本）となり、現状で泌乳量の多い乳牛と同程度の流量としたためである。
【００４３】
そして、パルセータ１１を作動させてボア部３ｂを収縮させることによりアメゴム管５０Ｂを収縮させ、水流の停止と流出とを交互に行った。
ショートミルクチューブ部３ｄ内に流れた水は、ミルククロー３０内に流入させ、ミルククロー３０内に流入した水は、排出口３４より排出した。
【００４４】
ショートミルクチューブ部３ｄの先端部３ｅの内径を変更し、それぞれの流量において、カメラ１０３で撮影した画像より、水の逆流度合いを観察し、表３のスコアにより評価した。
実際の搾乳においては、スコアが３より大きい場合は、ボア部３ｂ内で逆流が発生しているので乳房炎を発生させる恐れがある。スコアは低い方が好ましいが、スコア３においてはボア部３ｂ内で逆流が発生しないので、スコア３以下を許容範囲とした。なお、それぞれの状態において、撮影した動画の異なる場面を２箇所確認し、スコアを２つ付け、２つのスコアの平均値をその実験水準のスコアとした。例えば、スコア１とスコア２であった場合には、その実験水準のスコアは１．５とした。
【表３】
2020050244.tif 000006
【００４５】
（実験結果）
図４は、ボア部３ｂの内径一定、ショートミルクチューブ部３ｄの内径を変更した、Ｎ−IIIの場合における、乳汁ｍの逆流防止効果の実験結果を示したグラフである。
図５は、ボア部３ｂの内径一定、ショートミルクチューブ部３ｄの内径を変更した、Ｊ２２５の場合における、乳汁ｍの逆流防止効果の実験結果を示したグラフである。
図４及び図５のグラフに示すように、Ｒ１／Ｒ２が１．９以下においては、流量１．０から４．０Ｌ／ｍｉｎにおいて、スコアが２以下であり、すなわちボア部３ｂにおいて逆流が発生しなかった。
これに対して、Ｒ１／Ｒ２が２．１以上においては、流量が増加するにつれてスコアが３より大きくなり、ボア部３ｂにおいて逆流が発生した。
【００４６】
（２）ショートミルクチューブ部３ｄの内径一定、ボア部３ｂの内径を変更した実験
次に、ショートミルクチューブ部３ｄの内径一定、ボア部３ｂの内径を変更して上記（１）と同様に、２種類の材質のライナー３を用いて実験を行った。
（Ｎ−IIIの場合）
ショートミルクチューブ部３ｄの内径Ｒ２は８ｍｍで一定とした。
ボア部３ｂの内径は２２ｍｍであるが、そこに外径２２ｍｍ、内径が２０ｍｍ，１６ｍｍ，１５．２ｍｍ，１２ｍｍ，８ｍｍ、長さ２ｃｍの補助チューブをそれぞれ挿入することにより、内径は２０ｍｍ，１６ｍｍ，１５．２ｍｍ，１２ｍｍ，８ｍｍである。これにより、ボア部３ｂの内径Ｒ１を、２０ｍｍ，１６ｍｍ，１５．２ｍｍ，１２ｍｍ，８ｍｍとした５種類のライナー３を用意した。
したがって、５種類のライナー３のＲ１／Ｒ２は、それぞれ、２．５，２．０，１．９，１．５，１．０となる。
以下の表４にこれらの関係を示す。
【００４７】
【表４】
2020050244.tif 000007
2020050244.tif 000008
【００４８】
（Ｊ２２５Ｓの場合）
ショートミルクチューブ部３ｄの内径Ｒ２は８ｍｍで一定とした。
ボア部３ｂの内径は２２ｍｍであるが、そこに外径２２ｍｍで、内径が２０ｍｍ，１６ｍｍ，１５．２ｍｍ，１２ｍｍ，８ｍｍ、長さ２ｃｍの補助チューブをそれぞれ挿入することにより、内径は２０ｍｍ，１６ｍｍ，１５．２ｍｍ，１２ｍｍ，８ｍｍである。これにより、ボア部３の内径Ｒ１を、２０ｍｍ，１６ｍｍ，１５．２ｍｍ，１２ｍｍ，８ｍｍとした５種類のライナー３を用意した。
したがって、５種類のライナー３のＲ１／Ｒ２は、それぞれ、２．５，２．０，１．９，１．５，１．０となる。これらの関係は上述の表４と同じである。
【００４９】
（実験結果）
図６は、ショートミルクチューブ部３ｄの内径一定、ボア部３ｂの内径を変更した、Ｎ−IIIの場合における、乳汁ｍの逆流防止効果の実験結果を示したグラフである。
図７は、ショートミルクチューブ部３ｄの内径一定、ボア部３ｂの内径を変更した、Ｊ２２５の場合における、乳汁ｍの逆流防止効果の実験結果を示したグラフである。
図６及び図７のグラフに示すように、ショートミルクチューブ部３ｄの内径一定、ボア部３ｂの内径を変更した場合においても、Ｒ１／Ｒ２が１．９以下においては、流量１．０から４．０Ｌ／ｍｉｎにおいて、スコアが３以下、すなわちボア部３ｂにおいて逆流が発生しなかった。
これに対して、Ｒ１／Ｒ２が２．０以上においては、流量１．０から４．０Ｌ／ｍｉｎにおいて、流量が増加するとスコアが３より大きくなり、すなわちボア部３ｂにおいて逆流が発生した。
【００５０】
ここで、Ｒ１／Ｒ２が１．９以下においては、ボア部３ｂにおいて逆流が発生しない理由については以下のように考える。図８は、ボア部３ｂからショートミルクチューブ部３ｄへ流れる乳汁ｍの流れる状態を模式化したものであり、（ａ）はＲ１／Ｒ２が２．０以上、（ｂ）はＲ１／Ｒ２が１．９以下の場合である。
（ａ）に示す比較形態のＲ１／Ｒ２が２．０以上の場合、乳汁ｍが径がＲ１のボア部３ｂから、径がＲ２のショートミルクチューブ部３ｄへ流れ込む際、径が急に小さくなる。このため、径が小さくなるジャンクションポイント部（肉厚部３ｃ）において、乳汁ｍが滞留し、一部が逆流する。
一方、（ｂ）に示す実施形態のＲ１／Ｒ２が１．９以下の場合、乳汁ｍが径がＲ１のボア部３ｂから、径がＲ２のショートミルクチューブ部３ｄへ流れ込む際の径の縮小の割合が（ａ）に比べて小さい。このため、径が小さくなるジャンクションポイント部（肉厚部３ｃ）での、乳汁ｍの滞留が発生しないので、ボア部３ｂにおいて逆流が発生しない。
【００５１】
以上のように、本実施形態によると、Ｒ１／Ｒ２が１．９以下であるので乳汁のボア部３ｂ内での逆流の発生を防止することができる。また、Ｒ１／Ｒ２が１以上であるので、ミルククロー３０のサイズを巨大化する必要なく、ティートカップ１及びミルククロー３０とのコンパクト化が可能となる。したがって、より簡単且つ確実に、乳汁の逆流を抑制し、乳房炎への感染リスクを低減できるティートカップ１を提供することができる。
【符号の説明】
【００５２】
１    ティートカップ
２    シェル
３    ライナー
３ａ    マウスピース部
３ｂ    ボア部
３ｃ    肉厚部
３ｄ    ショートミルクチューブ部
３ｅ    インレット部
１０    搾乳システム
１１    パルセータ
１２    ミルクライン
１３    乳受け容器
１４    バルククーラ
１５    パルセータライン
１８    真空ポンプ
３０    ミルククロー
３１    乳汁室
３２    調圧室
３３    インレット挿入口
３４    排出口
３６    ベント
５０    乳頭
５０Ａ    擬似乳頭
５０Ｂ    アメゴム管
１００    実験装置
１０２    水タンク
１０３    カメラ
【図１】
2020050244.tif 000009
【図２】
2020050244.tif 000010
【図３】
2020050244.tif 000011
【図４】
2020050244.tif 000012
【図５】
2020050244.tif 000013
【図６】
2020050244.tif 000014
【図７】
2020050244.tif 000015
【図８】
2020050244.tif 000016
【国際調査報告】
2020050244.tif 000017
2020050244.tif 000018
2020050244.tif 000019
2020050244.tif 000020